(57)【要約】【課題】視聴制限のあるコンテンツデータが視聴制限が実質的に設定されていない可能性ある機器で無制限に視聴可能となることを防止する。【解決手段】実施形態の送信装置は、取得手段と、送信手段と、を備える。前記取得手段は、コンテンツを記録部に記録させる受信装置から、前記コンテンツに対する視聴制限の設定値を示す視聴制限設定情報を取得する。前記送信手段は、前記取得手段により取得した視聴制限設定情報が示す視聴制限の設定値および自装置における前記コンテンツに対する視聴制限の設定値のうち、前記コンテンツに対する視聴制限の設定値が厳しい方の設定値に応じて前記コンテンツに視聴制限を加えた制限コンテンツを前記受信装置に送信する。【選択図】図１
2015039074.tif 000002
【特許請求の範囲】
【請求項１】
コンテンツを記録部に記録させる受信装置から、前記コンテンツに対する視聴制限の設定値を示す視聴制限設定情報を取得する取得手段と、
前記取得した視聴制限設定情報が示す視聴制限の設定値および自装置における前記コンテンツに対する視聴制限の設定値のうち、前記コンテンツに対する視聴制限の設定値が厳しい方の設定値に応じて前記コンテンツに視聴制限を加えた制限コンテンツを前記受信装置に送信する送信手段と、
を備えた送信装置。
【請求項２】
前記取得手段は、前記受信装置から、前記コンテンツを視聴可能な上限年齢を前記視聴制限の設定値として示す前記視聴制限設定情報を取得し、
前記送信手段は、前記取得した視聴制限設定情報が示す上限年齢、および自装置における前記コンテンツに対する視聴制限の設定値である、自装置における前記コンテンツを視聴可能な上限年齢のうち、前記コンテンツを視聴可能な上限年齢が低い方に応じて前記コンテンツに視聴制限を加えた前記制限コンテンツを前記受信装置に送信する請求項１に記載の送信装置。
【請求項３】
前記送信手段は、前記受信装置に送信する前記コンテンツのうち、前記取得した視聴制限設定情報が示す上限年齢および前記自装置におけるコンテンツを視聴可能な上限年齢のうち前記コンテンツを視聴可能な上限年齢が低い方の上限年齢で視聴可能なコンテンツを前記制限コンテンツとして前記受信装置に送信する請求項２に記載の送信装置。
【請求項４】
前記送信手段は、前記受信装置に送信する前記コンテンツに含まれるシーンのうち、前記取得した視聴制限設定情報が示す上限年齢および前記自装置におけるコンテンツを視聴可能な上限年齢のうち前記コンテンツを視聴可能な上限年齢が低い方の上限年齢において視聴制限が行われるシーンを排除した前記制限コンテンツを前記受信装置に送信する請求項２に記載の送信装置。
【請求項５】
前記送信手段は、前記受信装置に送信する前記コンテンツに含まれるシーンのうち、前記取得した視聴制限設定情報が示す上限年齢および前記自装置におけるコンテンツを視聴可能な上限年齢のうち前記コンテンツを視聴可能な上限年齢が低い方の上限年齢において視聴制限が行われるシーンの代わりの代替シーンを加えた前記制限コンテンツを前記受信装置に送信する請求項２に記載の送信装置。
【請求項６】
コンテンツを送信する送信装置に対して、前記コンテンツに対する視聴制限の設定値を示す視聴制限設定情報を送信する送信手段と、
前記送信手段により送信した視聴制限設定情報が示す視聴制限の設定値および前記送信装置における前記コンテンツに対する視聴制限の設定値のうち、前記コンテンツに対する視聴制限の設定値が厳しい方に応じて前記コンテンツに視聴制限を加えた制限コンテンツを前記送信装置から受信する受信手段と、
前記受信手段により受信した前記制限コンテンツを記録部に記録させる記録制御手段と、
を備えた受信装置。
【請求項７】
前記送信手段は、前記コンテンツを視聴可能な上限年齢を前記視聴制限の設定値として示す前記視聴制限設定情報を送信し、
前記受信手段は、前記送信手段により送信した前記視聴制限設定情報が示す上限年齢、および前記送信装置における前記コンテンツに対する視聴制限の設定値である、前記送信装置における前記コンテンツを視聴可能な上限年齢のうち、前記コンテンツを視聴可能な上限年齢が低い方に応じて前記コンテンツに視聴制限を加えた前記制限コンテンツを前記送信装置から受信する請求項６に記載の受信装置。
【請求項８】
前記受信手段は、前記送信手段により送信した前記視聴制限設定情報が示す上限年齢および前記送信装置におけるコンテンツを視聴可能な上限年齢のうち低い方の上限年齢で視聴可能な前記コンテンツを前記制限コンテンツとして前記送信装置から受信する請求項７に記載の受信装置。
【請求項９】
送信装置で実行される送信方法であって、
前記送信装置は、制御部を備え、
前記制御部は、
取得手段が、コンテンツを記録部に記録させる受信装置から、前記コンテンツに対する視聴制限の設定値を示す視聴制限設定情報を取得する工程と、
送信手段が、前記取得した視聴制限設定情報が示す視聴制限の設定値および自装置における前記コンテンツに対する視聴制限の設定値のうち、前記コンテンツに対する視聴制限の設定値が厳しい方の設定値に応じて前記コンテンツに視聴制限を加えた制限コンテンツを前記受信装置に送信する工程と、
を含む送信方法。
【発明の詳細な説明】
【技術分野】
【０００１】
本発明の実施形態は、送信装置、受信装置、および送信方法に関する。
【背景技術】
【０００２】
ホームネットワーク技術の進化に伴い、コンテンツを視聴可能な上限年齢などのコンテンツに対する視聴制限の設定値が設定された録画機が録画した視聴制限があるコンテンツをネットワーク越しに別の機器にダビングすることができるようになっている。
【先行技術文献】
【特許文献】
【０００３】
【特許文献１】特開２００９−２１２８９３号公報
【発明の概要】
【発明が解決しようとする課題】
【０００４】
しかしながら、従来技術においては、コンテンツに対する視聴制限の設定値が設定された録画機において録画した視聴制限があるコンテンツが、何の制限も無しに、コンテンツに対する視聴制限の設定値が設定されていない別の機器にダビングされてしまうと、当該別の機器において、ダビングしたコンテンツが無制限に視聴可能となってしまう可能性がある、という課題がある。
【０００５】
本発明は、上記に鑑みてなされたものであって、コンテンツに対する視聴制限の設定値が設定された録画機において録画した視聴制限があるコンテンツが、コンテンツに対する視聴制限の設定値が設定されていない別の機器にダビングされて無制限に視聴可能となることを防止できる送信装置、受信装置、および送信方法を提供することを目的とする。
【課題を解決するための手段】
【０００６】
実施形態の送信装置は、取得手段と、送信手段と、を備える。前記取得手段は、コンテンツを記録部に記録させる受信装置から、前記コンテンツに対する視聴制限の設定値を示す視聴制限設定情報を取得する。前記送信手段は、前記取得手段により取得した視聴制限設定情報が示す視聴制限の設定値および自装置における前記コンテンツに対する視聴制限の設定値のうち、前記コンテンツに対する視聴制限の設定値が厳しい方の設定値に応じて前記コンテンツに視聴制限を加えた制限コンテンツを前記受信装置に送信する。
【図面の簡単な説明】
【０００７】
【図１】図１は、本実施形態にかかるネットワークコンテンツダビングシステムの構成を示すブロック図である。
【図２】図２は、本実施形態にかかる送信装置におけるコンテンツデータの送信処理の流れを示すフローチャートである。
【図３】図３は、受信装置にダビングする対象となるコンテンツデータを選択するコンテンツ選択画面の一例を示す図である。
【図４】図４は、コンテンツデータをダビングするダビング先機器を選択する装置選択画面の一例を示す図である。
【発明を実施するための形態】
【０００８】
図１は、本実施形態にかかるネットワークコンテンツダビングシステムの構成を示すブロック図である。本実施形態にかかるネットワークコンテンツダビングシステム１は、コンテンツデータ（番組）を録画するダビング元の録画機であって、録画したコンテンツデータを送信する送信装置１０１と、当該送信装置１０１から送信されたコンテンツデータを受信し、受信したコンテンツデータを記録するダビング先の機器である受信装置１０２と、送信装置１０１から送信されたコンテンツデータを受信装置１０２に伝送する有線ＬＡＮ（Local  Area  Network）や無線ＬＡＮ等のネットワーク１０３と、を備えて構成されている。図１では、送信装置１０１と受信装置１０２とがそれぞれ１つずつしか図示されていないが、複数の送信装置１０１と複数の受信装置１０２とがネットワーク１０３を介して接続されているものとする。
【０００９】
なお、本実施形態では、送信装置１０１は、録画機能と送信側のダビング機能を持つデジタルテレビジョンやＨＤＤ（Hard  Disk  Drive）レコーダなどである。受信装置１０２は、録画機能と受信側のダビング機能を持つデジタルテレビジョンやＨＤＤレコーダやパーソナルコンピュータなどである。ここで、ダビング機能には、送信装置１０１から受信装置１０２へコンテンツデータをダビング（コピー）またはムーブ（移動）する動作が含まれるものとする。以下の説明では、コンテンツデータのダビングおよびムーブを、単に、ダビングと称する。
【００１０】
まず、送信装置１０１のハードウェア構成について説明する。送信装置１０１は、チューナ部１０４、信号処理部１０５、映像・音声出力部１０６、ネットワークＩ／Ｆ１０７、制御部１０８、ストレージ部１０９などを備え、これらがバス等で接続されている。なお、本実施形態では、送信装置１０１を、受信した単一チャンネルのコンテンツデータを、内蔵するストレージ部１０９に録画する録画機能を備えたＨＤＤレコーダに適用した例について説明するが、録画機能を持つものであれば、これに限定されるものではない。例えば、送信装置１０１は、複数チャンネルのコンテンツデータや、ネットワーク１０３、図示しないルータを介して接続されたインターネット上のコンテンツサーバから受信したコンテンツデータをストレージ部１０９に録画する録画機能を備えたテレビジョン受像装置に適用することもできる。
【００１１】
チューナ部１０４は、制御部１０８の指示に従い、図示しないアンテナなどで受信したデジタル放送番組のＡＶコンテンツデータ（以下、コンテンツデータとする）を選局する。そして、チューナ部１０４は、選局したコンテンツを信号処理部１０５に入力する。ここで、コンテンツデータは、コンテンツの動画データおよび音声データ、その他の制御データが多重化されたトランスポートストリーム（ＴＳ）のことである。
【００１２】
信号処理部１０５は、制御部１０８の指示に従い、チューナ部１０４から入力されたコンテンツデータを映像信号と音声信号とに変換する再生機能を有する。そして、信号処理部１０５は、映像信号と音声信号とに変換したコンテンツデータを映像・音声出力部１０６およびストレージ部１０９に出力する。本実施形態では、信号処理部１０５は、コンテンツデータに特化して処理を行うモジュールであり、例えば、エンコード、デコード、暗号化、復号化、圧縮（ビットレート変換）、コーデック変換、システム変換（ＴＳからＰＳ等）、特定データの抽出、特定データの埋め込み等の機能を持つ。
【００１３】
ストレージ部１０９は、制御部１０８の指示に従い、信号処理部１０５から入力された映像信号および音声信号およびネットワークＩ／Ｆ１０７から入力されたコンテンツデータを記録（録画）するＨＤＤ（Hard  Disk  Drive）などの記録部である。
【００１４】
映像・音声出力部１０６は、制御部１０８の指示に従い、信号処理部１０５から入力された映像信号および音声信号を、各種インターフェースを介して図示しない表示装置および図示しないスピーカに出力する。これにより、表示装置には、コンテンツデータの映像が表示され、当該映像と同期してコンテンツデータの音声がスピーカから出力される。
【００１５】
ネットワークＩ／Ｆ１０７は、送信装置１０１および受信装置１０２との通信を司る通信制御部である。
【００１６】
制御部１０８は、ユーザの操作に基づいて、図示しないアンテナで受信したデジタル放送番組のコンテンツデータをチューナ部１０４で選局し、選局したコンテンツデータを信号処理部１０５で処理した後、処理したコンテンツデータをストレージ部１０９に記録させる。また、制御部１０８は、信号処理部１０５で処理したコンテンツデータを映像・音声出力部１０６に出力することもできる。
【００１７】
次に、受信装置１０２のハードウェア構成について説明する。受信装置１０２は、チューナ部１１２、信号処理部１１３、映像・音声出力部１１４、ネットワークＩ／Ｆ１１５、制御部１１６、ストレージ部１１７などを備え、これらがバス等で接続されている。なお、受信装置１０２は、送信装置１０１と同様の構成を有しているため、各部の具体的な説明を省略する。なお、本実施形態では、受信装置１０２を、送信装置１０１と同様に、ＨＤＤレコーダに適用した例について説明するが、ダビング機能を持つものであれば、これに限定されるものではない。例えば、受信装置１０２は、ネットワークＩ／Ｆ１１５を介して送信装置１０１から受信したコンテンツデータをストレージ部１１７に録画するダビング機能を備えるテレビジョン受像装置に適用することができる。また、本実施形態では、受信装置１０２は、信号処理部１１３から入力されたコンテンツデータを映像信号と音声信号とに変換する再生機能を有しているものとして説明するが、これに限定するものではない。ただし、受信装置１０２が再生機能を有していない場合には、チューナ部１１２、信号処理部１１３、および映像・音声出力部１１４を受信装置１０２に設ける必要はない。
【００１８】
次に、図１を用いて、送信装置１０１の機能的構成について説明する。送信装置１０１の制御部１０８は、送信装置１０１の各部を集中的に制御するＣＰＵ（Central  Processing  Unit）、ＢＩＯＳなどの各種プログラムを記憶するＲＯＭ（Read  Only  Memory）、および各種データを書き換え可能に記憶する性質を有し、前述のＣＰＵの作業エリアとして機能してバッファ等の役割を果たす主記憶装置であるＲＡＭ（Random  Access  Memory）を備えている。そして、制御部１０８が備えるＣＰＵは、ＲＯＭに記憶されたプログラムをＲＡＭに展開して実行することにより、視聴制限情報処理部１１０およびコンテンツ制限部１１１として機能する。
【００１９】
制御部１０８は、チューナ部１０４またはネットワークＩ／Ｆ１０７を介して取得した電子番組ガイド（ＥＰＧ）や、ストレージ部１０９に記録されているコンテンツデータのリスト、録画機能や再生機能などの動作を選択するメニュー画面、各種選択を受け付けるＧＵＩ（Graphical  User  Interface）等を、映像・音声出力部１０６を介して図示しない表示装置に表示させる。また、制御部１０８は、コンテンツ選択画面Ｇ１（図３参照）、装置選択画面Ｇ２（図４参照）等のＧＵＩを図示しない表示装置に表示させる。
【００２０】
制御部１０８は、ネットワーク１０３経由で、送信装置１０１の起動時に稼動しているダビング先機器である受信装置１０２を検索する。本実施形態では、ＵＰｎＰコントロールポイントの機能を送信装置１０１の制御部１０８に、ＵＰｎＰデバイスの機能を受信装置１０２の制御部１１６に組み込むことで、送信装置１０１はＵＰｎＰのDiscoveryのフェーズで受信装置１０２を検索する。
【００２１】
さらに、送信装置１０１は、検索した受信装置１０２からＵＰｎＰのDiscoveryのフェーズで当該検索した受信装置１０２の機器情報や当該受信装置１０２が提供するサービス情報を列挙したDevice  Descriptionをダウンロードすることで、当該受信装置１０２の機器情報を取得する。
【００２２】
ここで、機器情報には、受信装置１０２において視聴制限情報処理部１１８が管理・設定するコンテンツデータを視聴可能な上限年齢を示す視聴制限設定情報が含まれているものとする。なお、本実施形態では、機器情報に含まれる視聴制限設定情報は、コンテンツデータを視聴可能な上限年齢を示しているが、受信装置１０２におけるコンテンツデータに対する視聴制限の設定値を示すものであれば、これに限定するものではない。
【００２３】
そして、制御部１０８は、ネットワーク１０３上で稼動している受信装置１０２を管理するために、受信装置１０２を特定する識別情報（例えば、受信装置１０２のＩＰアドレスなど）と、当該受信装置１０２から取得した機器情報と、を対応付けてＲＡＭなどに記録させる。
【００２４】
また、制御部１０８は、ユーザから、ネットワーク１０３に接続された少なくとも１つの受信装置１０２に対してコンテンツデータを送信する旨の指示である送信指示を受け付ける。なお、送信指示としては、コンテンツデータをダビング（コピー）する指示や、コンテンツデータをムーブ（移動）する指示が含まれる。
【００２５】
より詳細には、制御部１０８は、録画機能や再生機能などの動作を選択するためのメニュー画面（不図示）において、コンテンツデータをダビングする旨の選択がなされた場合、あるいは、図示しないリモートコントローラにおいてダビングボタンが押下された場合に、これらの指示を上述の送信指示として受付ける。
【００２６】
そして、制御部１０８は、ユーザから送信指示を受け付けた場合に、ストレージ部１０９に記録されたコンテンツデータの中から、受信装置１０２にダビングするダビング対象のコンテンツデータを選択する。本実施形態では、制御部１０８は、コンテンツ選択画面Ｇ１（図３参照）においてユーザにより選択されたコンテンツデータを、ダビング対象のコンテンツデータとして選択する。
【００２７】
また、制御部１０８は、ダビング対象のコンテンツデータが選択された場合に、機器情報と対応付けてＲＡＭに記録された識別情報により特定される受信装置１０２の中から、当該ダビング対象のコンテンツデータをダビングするダビング先機器である受信装置１０２を選択する。本実施形態では、制御部１０８は、装置選択画面Ｇ２（図４参照）においてユーザにより選択された受信装置１０２を、ダビング先機器として選択する。
【００２８】
視聴制限情報処理部１１０は、コンテンツデータの暴力的もしくは猥褻的なシーンを視聴可能な上限年齢など、コンテンツデータの視聴制限の設定値を示す視聴制限設定情報（例えば、パレンタルレベル（視聴制限レベル）情報）が、選択されたコンテンツデータに重畳されている視聴制限番組か否かを判断する。
【００２９】
そして、視聴制限情報処理部１１０は、選択されたコンテンツデータに視聴制限設定情報が重畳されており、当該選択されたコンテンツデータが視聴制限番組であると判断した場合、選択された受信装置１０２の識別情報と対応付けてＲＡＭに記録された機器情報に含まれる視聴制限設定情報が示す視聴制限の設定値、および送信装置１０１に予め設定されたコンテンツデータに対する視聴制限の設定値のうち、視聴制限の設定値が厳しい方を選択する。本実施形態では、視聴制限情報処理部１１０は、選択された受信装置１０２の識別情報と対応付けてＲＡＭに記録された機器情報に含まれる視聴制限設定情報が示す視聴制限の上限年齢、および送信装置１０１に予め設定されたコンテンツデータに対する視聴制限の上限年齢のうち、コンテンツデータに対する視聴制限の上限年齢が低い方を選択する。
【００３０】
例えば、視聴制限情報処理部１１０は、選択された受信装置１０２の識別情報と対応付けてＲＡＭに記録された機器情報に含まれる視聴制限設定情報が示す視聴制限の上限年齢が１２歳で、送信装置１０１に予め設定されたコンテンツデータに対する視聴制限の上限年齢が２０歳である場合、選択された受信装置１０２の識別情報と対応付けてＲＡＭに記録された機器情報に含まれる視聴制限設定情報が示す視聴制限の上限年齢である１２歳を選択する。そして、視聴制限情報処理部１１０は、選択した視聴制限の上限年齢を示す視聴制限設定情報をコンテンツ制限部１１１に設定する。
【００３１】
コンテンツ制限部１１１は、選択されたコンテンツデータのメタデータおよび当該選択されたコンテンツデータに重畳された視聴制限設定情報を精査し、当該選択されたコンテンツデータに対して視聴制限を加えた場合に変更されるメタデータを、選択された受信装置１０２に送信する。具体的には、コンテンツ制限部１１１は、選択されたコンテンツデータに対して視聴制限を加えた場合に変更されるメタデータ、例えば総時間やタイトル情報などが改変されたメタデータを、ネットワークＩ／Ｆ１０７を介して、選択された受信装置１０２に送信する。メタデータの送信方法としては、例えば、ＵＰｎＰで定義されるCreate  Objectのアクションを用いることができる。
【００３２】
そして、コンテンツ制限部１１１は、選択された受信装置１０２によってメタデータが正常に受信され、当該受信装置１０２から正常に応答が返ってくると、選択した視聴制限の設定値に応じて、選択されたコンテンツデータに対して視聴制限を加えた制限コンテンツデータを受信装置１０２に送信する。具体的には、コンテンツ制限部１１１は、選択されたコンテンツデータに重畳されているパレンタルレベル情報が示す視聴制限の設定値と、選択された視聴制限の設定値と、を比較して視聴制限の条件を満たすか否かを判定して、視聴可能なコンテンツデータであるか否かを判定する。
【００３３】
例えば、コンテンツ制限部１１１は、視聴制限の設定値として選択された視聴制限の上限年齢が、選択されたコンテンツデータに重畳されているパレンタルレベル情報が示す視聴制限の上限年齢を上回った場合、視聴制限の条件を満たし、視聴可能なコンテンツデータであると判定する。一方、コンテンツ制限部１１１は、視聴制限の設定値として選択された視聴制限の上限年齢が、選択されたコンテンツデータに重畳されているパレンタルレベル情報が示す視聴制限の上限年齢を下回った場合、視聴制限の条件を満たさず、視聴できないコンテンツデータであると判定する。
【００３４】
そして、コンテンツ制限部１１１は、選択されたコンテンツデータが視聴可能なコンテンツデータであると判定した場合には、当該選択されたコンテンツデータに視聴制限を加えずに受信装置１０２に送信する。一方、コンテンツ制限部１１１は、選択されたコンテンツデータが視聴できないコンテンツデータであると判定した場合には、選択された視聴制限の上限年齢に応じて当該選択されたコンテンツデータに視聴制限を加えた制限コンテンツデータを受信装置１０２に送信する。
【００３５】
より具体的には、コンテンツ制限部１１１は、選択されたコンテンツデータに重畳されているパレンタルレベル情報が、コンテンツデータ単位で設定されている場合には、選択されたコンテンツデータのうち、選択された視聴制限の上限年齢（例えば、１２歳）において視聴可能なコンテンツデータを制限コンテンツデータとして受信装置１０２に送信する。
【００３６】
また、コンテンツ制限部１１１は、選択されたコンテンツデータに重畳されたパレンタルレベル情報が、選択されたコンテンツデータに含まれるシーン単位で設定されている場合には、選択されたコンテンツデータに含まれるシーンのうち、選択された視聴制限の上限年齢（例えば、１２歳）において視聴制限が行われるシーンを排除した制限コンテンツデータを受信装置１０２に送信する。これにより、選択されたコンテンツデータに含まれる一部のシーンに視聴制限が設定されていたとしても、視聴制限が設定されていないシーンについては、コンテンツデータを視聴することができる。
【００３７】
さらに、コンテンツ制限部１１１は、選択されたコンテンツデータに重畳されたパレンタルレベル情報が、選択されたコンテンツデータに含まれるシーン単位で設定されている場合、選択されたコンテンツデータに含まれるシーンのうち、選択された視聴制限の上限年齢（例えば、１２歳）において視聴制限が行われるシーンに代替シーンを採用した制限コンテンツデータを受信装置１０２に送信する。
【００３８】
次に、図１を用いて、受信装置１０２の機能的構成について説明する。受信装置１０２の制御部１１６は、受信装置１０２の各部を集中的に制御するＣＰＵ、ＢＩＯＳなどの各種プログラムを記憶するＲＯＭ、および各種データを書き換え可能に記憶する性質を有し、前述のＣＰＵの作業エリアとして機能してバッファ等の役割を果たす主記憶装置であるＲＡＭを備えている。そして、制御部１１６が備えるＣＰＵは、ＲＯＭに記憶されたプログラムをＲＡＭに展開して実行することにより、視聴制限情報処理部１１８として機能する。
【００３９】
制御部１１６は、送信装置１０１から送信されたメタデータおよび制限コンテンツデータ（またはコンテンツデータ）を、ネットワークＩ／Ｆ１１５を介して受信する。そして、制御部１１６は受信したメタデータおよび制限コンテンツデータ（またはコンテンツデータ）を、ストレージ部１１７に記録させる。これにより、視聴制限のあるコンテンツデータが視聴制限の設定値が実質的に設定されていない受信装置１０２（例えば、送信装置１０１に予め設定された視聴制限の上限年齢よりも高い視聴制限の上限年齢が設定された受信装置１０２）に、当該視聴制限のあるコンテンツデータが無制限にダビングされることを防止することができる。
【００４０】
次に、図２を用いて、コンテンツデータの送信処理の流れについて説明する。図２は、本実施形態にかかる送信装置におけるコンテンツデータの送信処理の流れを示すフローチャートである。
【００４１】
制御部１０８は、まず、コンテンツ選択画面Ｇ１（図３参照）に基づいて、ストレージ部１０９に記録されたコンテンツデータの中から、受信装置１０２のストレージ部１１７にダビングさせるダビング対象となるコンテンツデータを選択する（ステップＳ２０１）。
【００４２】
図３は、受信装置にダビングする対象となるコンテンツデータを選択するコンテンツ選択画面の一例を示す図である。図３に示すように、制御部１０８は、コンテンツ選択画面Ｇ１に、ストレージ部１０９に記録されたコンテンツデータ（録画番組Ａ〜Ｃ）の録画番組リストから、受信装置１０２のストレージ部１１７にダビングさせるコンテンツデータ（録画番組Ａ〜Ｃ）の各々を選択可能に表示する。そして、制御部１０８は、コンテンツ選択画面Ｇ１に基づき、受信装置１０２のストレージ部１１７にダビングするコンテンツデータ（録画番組Ａ〜Ｃ）の選択をユーザから受け付ける。例えば、図３の録画番組Ａが選択された場合に、制御部１０８は、ダビング対象となる録画番組Ａが選択された旨を受け付ける。
【００４３】
次いで、制御部１０８は、装置選択画面Ｇ２（図４参照）に基づいて、装置選択画面Ｇ２に基づいて、選択されたコンテンツデータのダビング先機器となる受信装置１０２を選択する（ステップＳ２０２）。
【００４４】
図４は、コンテンツデータをダビングするダビング先機器を選択する装置選択画面の一例を示す図である。図４に示すように、制御部１０８は、装置選択画面Ｇ２に、機器情報と対応付けてＲＡＭに記録された識別情報により特定される受信装置１０２の各々を選択可能に表示する。そして、制御部１０８は、装置選択画面Ｇ２に基づき、コンテンツデータのダビング先となる受信装置Ａの選択をユーザから受付ける。例えば、図２の受信装置Ａが選択された場合に、制御部１０８は、ダビング先となる受信装置Ａが選択された旨を受付ける。
【００４５】
ダビング先機器となる受信装置１０２が選択されると、視聴制限情報処理部１１０は、選択されたコンテンツデータが視聴制限番組であるか否かを判断する（ステップＳ２０３）。そして、選択されたコンテンツデータが視聴制限番組でないと判断した場合（ステップＳ２０３：Ｎｏ）、コンテンツ制限部１１１は、選択されたコンテンツデータに対して視聴制限を加えず、当該選択されたコンテンツデータのメタデータ（無加工のメタデータ）および当該選択されたコンテンツデータ（無加工のコンテンツデータ）を、適切な著作権保護規格に則り、選択された受信装置１０２に送信する（ステップＳ２０７、ステップＳ２０８）。
【００４６】
一方、選択されたコンテンツデータが視聴制限番組であると判断された場合（ステップＳ２０３：Ｙｅｓ）、視聴制限情報処理部１１０は、選択された受信装置１０２の識別情報と対応付けられた機器情報に含まれる視聴制限設定情報が示す視聴制限の設定値および送信装置１０１に予め設定されたコンテンツデータに対する視聴制限の設定値のうち、視聴制限が厳しい方を選択する。続いて、コンテンツ制限部１１１は、選択されたコンテンツデータに先に選択された厳しい方の視聴制限の設定値に基づき視聴制限を加えた場合における当該選択されたコンテンツデータのメタデータを作成する（ステップＳ２０４）。
【００４７】
コンテンツ制限部１１１は、作成したメタデータを選択された受信装置１０２に送信する（ステップＳ２０５）。そして、コンテンツ制限部１１１は、作成したメタデータが受信装置１０２に正常に受信され、当該受信装置１０２から正常な応答が返ってくると、選択した視聴制限の設定値に応じて選択されたコンテンツデータに対して視聴制限を加えた制限コンテンツデータを、適切な著作権保護規格に則り、受信装置１０２に送信する（ステップＳ２０６）。
【００４８】
このように、本実施形態にかかるネットワークコンテンツダビングシステム１によれば、送信装置１０１が、コンテンツデータに対する視聴制限の設定値を示す視聴制限設定情報を受信装置１０２から取得し、取得した視聴制限設定情報が示す視聴制限の設定値および自装置におけるコンテンツデータに対する視聴制限の設定値のうち、コンテンツデータに対する視聴制限の設定値が厳しい方を選択し、選択した視聴制限の設定値に応じてコンテンツデータに視聴制限を加えた制限コンテンツデータを前記受信装置に送信する。また、受信装置１０２が、コンテンツデータに対する視聴制限の設定値を示す視聴制限設定情報を送信装置１０１に対して送信し、送信した視聴制限設定情報が示す視聴制限の設定値および送信装置１０２におけるコンテンツデータに対する視聴制限の設定値のうち、コンテンツデータに対する視聴制限の設定値が厳しい方に応じてコンテンツデータに視聴制限を加えた制限コンテンツデータを送信装置１０１から受信し、受信した制限コンテンツデータをストレージ部１１７に記録させる。これにより、コンテンツデータに対する視聴制限の設定値が設定された送信装置１０１において録画した視聴制限のあるコンテンツデータが、何の制限も無しに、コンテンツデータに対する視聴制限の設定値が設定されていない受信装置１０２にダビングされることを防止できるので、視聴制限のあるコンテンツデータが視聴制限が実質的に設定されていない可能性ある受信装置１０２で無制限に視聴可能となることを防止できる。
【００４９】
なお、本実施形態の送信装置１０１の制御部１０８および受信装置１０２の制御部１１６で実行されるプログラムは、ＲＯＭ等に予め組み込まれて提供されるが、これに限定するものではなく、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００５０】
さらに、本実施形態の送信装置１０１の制御部１０８および受信装置１０２の制御部１１６で実行されるプログラムを、インターネット等のネットワークに接続されたコンピュータ上に格納し、ネットワーク経由でダウンロードさせることにより提供するように構成しても良い。また、本実施形態の送信装置１０１の制御部１０８および受信装置１０２の制御部１１６で実行されるプログラムをインターネット等のネットワーク経由で提供または配布するように構成しても良い。
【００５１】
本発明の実施形態を説明したが、この実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５２】
１０１・・・送信装置、１０２・・・受信装置、１０８，１１６・・・制御部、１１０・・・視聴制限情報処理部、１１１・・・コンテンツ制限部、１１７・・・ストレージ部、１１８・・・視聴制限情報処理部
【図１】
2015039074.tif 000003
【図２】
2015039074.tif 000004
【図３】
2015039074.tif 000005
【図４】
2015039074.tif 000006